(57)【特許請求の範囲】
【請求項１】
利用者の歌唱履歴より所定の個別楽曲を表示して選曲可能とする同席者別個別楽曲表示機能を備えるカラオケシステムであって、
利用者データベース、利用者ＩＤ取得部、歌唱履歴取得手段、同席者対応曲目抽出手段を有し、
前記利用者データベースは、当該利用者の歌唱した楽曲に、歌唱時における同席者の利用者ＩＤを関連付けて利用者毎の前記歌唱履歴に登録し、
前記利用者ＩＤ取得部は、グループで利用する利用者及び総ての同席者からのログイン要求に応じて利用者ＩＤを取得し、
前記歌唱履歴取得手段は、前記取得したそれぞれの利用者ＩＤに基づいて、前記利用者データベースより前記登録された楽曲を取得し、
前記同席者対応曲目抽出手段は、所定の利用者の選曲の際に、前記歌唱履歴取得手段が取得した楽曲中より、前記利用者ＩＤ取得部で取得された同席者の利用者ＩＤが関連付けられた楽曲を抽出して選曲可能に表示させる、
ことを特徴とする同席者別個別楽曲表示機能を備えるカラオケシステム。
【請求項２】
請求項１記載の同席者別個別楽曲表示機能を備えるカラオケシステムであって、
前記利用者データベースは、当該利用者の歌唱した楽曲に、歌唱時における同席者の利用者ＩＤと共に、歌唱した度数を関連付けて利用者毎の前記歌唱履歴に登録し、
前記同席者対応曲目抽出手段は、所定の利用者の選曲の際に、前記歌唱履歴取得手段が取得した楽曲中より、前記利用者ＩＤ取得部で取得された同席者の利用者ＩＤが関連付けられた楽曲のうち、所定度数以上の楽曲を抽出して選曲可能に表示させる、
ことを特徴とする同席者別個別楽曲表示機能を備えるカラオケシステム。
【発明の詳細な説明】
【技術分野】
【０００１】
本発明は、利用者が楽曲を選曲するに際して同席者に応じて選曲対象を表示する同席者別個別楽曲表示機能を備えるカラオケシステムに関する。
【背景技術】
【０００２】
近年、カラオケシステムに使用される記憶装置の大容量化が進み、楽曲数を増加させることで利用者の歌唱を欲する対象楽曲への満足度の向上を図っている。一方、利用者の歌唱した楽曲を履歴として記憶しておき、当該利用者の選曲時に表示可能とする機能を備えるものも一般化してきており、利用者に同席者がいる場合には当該同席者に対して歌唱することの好ましくない楽曲が選曲されないことの配慮が必要となる。
【０００３】
従来、利用者の歌唱履歴を選曲時に表示させる場合、歌唱した総ての楽曲を表示対象とする他に、選択的に表示させる技術が、例えば下記特許文献１に提案されている。特許文献１は、利用者が選曲を行う際に演奏頻度ないし予約頻度に応じて選曲対象の楽曲を一覧表示させるというもので、具体的には、楽曲に演奏頻度フィールド及び予約頻度フィールドの情報が附帯されて格納されている楽曲データベースに対する任意の検索条件に基づき、ヒットした複数の楽曲情報を一覧表示する際、演奏頻度ないし予約頻度の高い楽曲が含まれていた場合に、これを降順にソートして優先的に検索結果の一覧表示の冒頭部分に表示させることが提案されている。
【０００４】
【特許文献１】特開２００５−１０７２５９号公報
【発明の開示】
【発明が解決しようとする課題】
【０００５】
ところで、カラオケシステムにおいては、複数で利用する場合が多く、例えば職場の同僚と利用する場合、家族と利用する場合、友達や仲間と利用する場合、接待で利用する場合など、同席者が多様に及んでいる。そのため、同席者によっては当該同席者に対して歌唱することが好ましくない場合もある。
【０００６】
しかしながら、所定の利用者が歌唱履歴より選曲する場合に、上記特許文献１のように演奏頻度や予約頻度で選曲対象を表示するものであっても、同席者に対して歌唱することの好ましくない楽曲も含まれ、また、表示された楽曲よりその都度同席者に応じた楽曲を選択することも煩雑であり、間違いや勘違いで選曲する場合もあって望ましくないという問題がある。
【０００７】
そこで、本発明は上記課題に鑑みなされたもので、同席者に対して相応しい楽曲を選曲可能に表示させる同席者別個別楽曲表示機能を備えるカラオケシステムを提供することを目的とする。
【課題を解決するための手段】
【０００８】
上記課題を解決するために、請求項１の発明では、利用者の歌唱履歴より所定の個別楽曲を表示して選曲可能とする同席者別個別楽曲表示機能を備えるカラオケシステムであって、利用者データベース、利用者ＩＤ取得部、歌唱履歴取得手段、同席者対応曲目抽出手段を有し、前記利用者データベースは、当該利用者の歌唱した楽曲に、歌唱時における同席者の利用者ＩＤを関連付けて利用者毎の前記歌唱履歴に登録し、前記利用者ＩＤ取得部は、グループで利用する利用者及び総ての同席者からのログイン要求に応じて利用者ＩＤを取得し、前記歌唱履歴取得手段は、前記取得したそれぞれの利用者ＩＤに基づいて、前記利用者データベースより前記登録された楽曲を取得し、前記同席者対応曲目抽出手段は、所定の利用者の選曲の際に、前記歌唱履歴取得手段が取得した楽曲中より、前記利用者ＩＤ取得部で取得された同席者の利用者ＩＤが関連付けられた楽曲を抽出して選曲可能に表示させる、構成とする。
【０００９】
請求項２の発明では、前記利用者データベースは、当該利用者の歌唱した楽曲に、歌唱時における同席者の利用者ＩＤと共に、歌唱した度数を関連付けて利用者毎の前記歌唱履歴に登録し、前記同席者対応曲目抽出手段は、所定の利用者の選曲の際に、前記歌唱履歴取得手段が取得した楽曲中より、前記利用者ＩＤ取得部で取得された同席者の利用者ＩＤが関連付けられた楽曲のうち、所定度数以上の楽曲を抽出して選曲可能に表示させる、構成である。
【発明の効果】
【００１０】
請求項１の発明によれば、当該利用者の歌唱した楽曲に、歌唱時における同席者の利用者ＩＤを関連付けて利用者データベースの利用者毎の前記歌唱履歴に登録しておき、グループで利用する利用者及び総ての同席者からのログイン要求に応じて取得したそれぞれの利用者ＩＤに基づいて、当該利用者データベースより登録された楽曲を取得し、所定の利用者の選曲の際に、当該利用者データベースより取得した楽曲中より、利用者ＩＤ取得部で取得した同席者の利用者ＩＤが関連付けられた楽曲を抽出して選曲可能に表示させる構成とすることにより、歌唱履歴の楽曲よりその都度同席者に応じた楽曲を選択することなく、同席者に対して相応しい楽曲を選曲可能に表示させることができるものである。
【００１１】
請求項２の発明によれば、当該利用者の歌唱した楽曲に、歌唱時における同席者の利用者ＩＤと共に、歌唱した度数を関連付けて利用者データベースの利用者毎の前記歌唱履歴に登録しておき、取得したそれぞれの利用者ＩＤに基づいて、当該利用者データベースより登録された楽曲を取得し、所定の利用者の選曲の際に、当該利用者データベースより取得した楽曲中より、利用者ＩＤ取得部で取得した同席者の利用者ＩＤが関連付けられた楽曲のうち、所定度数以上の楽曲を抽出して選曲可能に表示させる構成とすることにより、同席者に対して間違いや勘違いで歌唱した楽曲の表示を排除することが可能となり、同席者に対して更なる相応しい楽曲を選曲可能に表示させることができるものである。
【発明を実施するための最良の形態】
【００１２】
以下、本発明の最良の実施形態を図により説明する。
図１に本発明に係るカラオケシステムの系統構成図を示す。図１（Ａ）は通信ネットワークを使用して本システムを構成させた場合のネットワーク模式図、図１（Ｂ）はホスト装置の概要ブロック構成図、図１（Ｃ）は利用者データベースの利用者情報登録の一例の説明図である。図１（Ａ）において、ホスト装置１１はカラオケシステムの一部を構成するものとして、通信ネットワーク１２を介して所定数のカラオケ演奏端末１３（１３Ａ〜１３Ｎ）を管理するものであり、相互にデータ授受自在に接続されたものである。上記通信ネットワーク１２としては、例えば、一般公衆電話回線やこれを用いたＡＤＳＬや光通信回線或いはインターネット、さらにはＬＡＮがあるが、インターネット上に構築されるＶＰＮが好ましい。
【００１３】
ホスト装置１１は、図１（Ｂ）に示すように、少なくとも送受信手段２１、制御手段２２、利用者データベース（ＤＢ）２３を備える。上記送受信手段２１は、各カラオケ演奏端末１３（１３Ａ〜１３Ｎ）との通信（データ授受）を行うために、通信ネットワーク１２の通信方式と整合性をとるための例えば物理的な通信用回路やプラットフォーム等のソフトウエアにより構成される。
【００１４】
上記制御手段２２は、当該ホスト装置１１を統括的に制御するもので、例えば物理的なＣＰＵであり、図示しないＲＯＭに格納されているプログラムのアルゴリズム処理を行う。ここでは、所定のカラオケ演奏端末１３より利用者ＩＤに基づいて利用者情報を要求されたときに、カラオケ演奏端末１３の端末ＩＤ及び利用者ＩＤを一旦図示しないＲＡＭに記憶し、利用者ＤＢ２３より当該利用者ＩＤに関連付けられた利用者情報（図１（Ｃ）で説明する。）を抽出して当該カラオケ演奏端末１３に送出する。
【００１５】
上記利用者ＤＢ２３は、利用者ＩＤで管理される利用者毎に所定の情報が登録されたデータベースであり、例えば図１（Ｃ）に示すように、利用者ＩＤに関連付けて、少なくともニックネーム、登録者の顔写真等のイメージファイル名が関連付けられると共に、当該利用者が歌唱した個別楽曲として歌唱履歴が登録される。この場合に、楽曲ＩＤには歌唱時に同席した利用者（同席者）の利用者ＩＤが関連付けられる。なお、歌唱履歴の他に、利用者が独自に、持ち歌を登録させる登録エリアを設けてもよい。
【００１６】
続いて、図２に、本発明のカラオケシステムにおけるカラオケ演奏端末のブロック構成図を示す。図２において、カラオケ演奏端末１３は、主要装置としてのカラオケ演奏装置３１に有線又は無線で外部接続されるものとして、表示部３２、ミキシングアンプ３３、マイク３４、スピーカ３５を備える。また、有線又は無線で遠隔入出力端末３６が接続される。当該遠隔入出力端末３６は、図３で説明する。
【００１７】
上記表示部３２は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。上記ミキシングアンプ３３は、カラオケ演奏装置３１より送られてくる演奏データとマイク３４からの音声信号をミキシングし、増幅してスピーカ３５より出力する。
【００１８】
上記カラオケ演奏装置３１は、バス４１、中央制御部４２、ＲＯＭ４３、ＲＡＭ４４、楽曲ＤＢ４５、映像ＤＢ４６、再生制御部４７、音楽曲出力部４８、演奏ログ処理手段４９及び送受信部５０Ａ，５０Ｂを適宜備える。また、ＲＡＭ４４には、予約待ち行列５１及び演奏ログ記憶部５２の領域が形成される。なお、上記各構成について、本発明の要旨と直接関連しない要素部分であっても、従前のカラオケ装置においても大部分が適用可能であることを示すために、装置全体を説明する。
【００１９】
上記中央制御部４２は、このシステムを統括的に処理制御する物理的なＣＰＵであり、ＲＯＭ４３に記憶されているプログラムに基づくアルゴリズム処理を行う。上記ＲＡＭ４４は、後述する予約待ち行列５１及び演奏ログ記憶部５２の記憶領域が形成される他に、上記種々のプログラムを展開、実行させるための作業領域としての役割をなすもので、例えば半導体メモリで構成され、仮想的にハードディスク上に構築される場合をも含む概念である。
【００２０】
上記楽曲ＤＢ４５は、楽曲ＩＤ、曲名及びアーチスト名が関連付けられた楽曲テーブルを有し、楽曲ＩＤで管理される所定データ形式のカラオケ楽曲の演奏データ（ＭＩＤＩデータ）及び歌詞テロップデータが同期されて構成される楽曲データ（ファイル）について楽曲コードをファイル名としてそれぞれ格納したデータベースであり、映像ＤＢ４６に格納された当該楽曲毎の背景映像を表示するための所定数のシーン映像を割り当てる割当データが関連付けられる。当該映像ＤＢ４６は、背景映像表示のための所定数のシーン映像データを所定数格納するデータベースである。なお、この楽曲ＤＢ４５及び映像ＤＢ４６を、カラオケ演奏装置３１ではなく、上記ホスト装置１１に備えさせることとしてもよい。
【００２１】
上記再生制御部４７は、演奏時に、映像ＤＢ４６より抽出された所定数のシーン映像データ及び楽曲コードで楽曲ＤＢ４５より抽出された歌詞テロップデータ（歌詞文字データ）を当該楽曲の演奏データに同期させて表示部３２に出力する電子回路である。上記音楽曲出力部４８は、楽曲コードで楽曲ＤＢ４５より抽出された演奏データをデジタル再生し、アナログ変換してミキシングアンプ３３に出力する電子回路である。
【００２２】
上記演奏ログ処理手段４９は、利用者（利用者ＩＤ）がこのカラオケ演奏装置３１で歌唱した楽曲ＩＤを同席者の利用者ＩＤに関連付けて演奏ログ記憶部５２に記憶しておき、例えばログアウト時に当該演奏ログデータをホスト装置１１に送出するためのプログラムである。ホスト装置１１では、カラオケ演奏装置３１から送られてきた演奏ログデータに基づいて利用者ＤＢ２３を更新させるものである。
【００２３】
上記送受信部５０Ａは、遠隔入出力端末３６との間で有線方式ないし無線方式（ＩＲ方式やブルートゥース（登録商標）機構のピコネット接続方式など）を利用してデータ授受を行うためのもので、そのための電子回路及びプログラムである。上記送受信部５０Ｂは、上記ホスト装置１１と上記通信ネットワーク１２を介してデータ授受を行うためのもので、通信方式と整合性をとるための例えば物理的な通信用回路やプラットフォーム等のソフトウエアにより構成されるものである。また、後述の遠隔入出力端末３６は、送受信部５０Ａ，５０Ｂを介してホスト装置１１とデータ授受が可能とされる。
【００２４】
なお、ＲＡＭ４４に形成される予約待ち行列５１は、中央制御部４２が利用者により選曲された楽曲ＩＤを予約順に記憶させていくデータ記憶領域である。
【００２５】
また、図示しないが、当該カラオケ演奏装置３１には、利用者による選択した楽曲の楽曲コードを直接入力するためのものや、演奏楽曲のテンポや、歌唱音声に対する種々の調節を行うボタンやツマミ類が可変抵抗器等の電子素子に直結された操作パネルも接続される。ところで、カラオケ演奏端末１３をスタンドアローンのカラオケシステムとして適用させる場合には上記ホスト装置１１の利用者ＤＢ２３を備えさせる構成とすることにより実現することができるものである。
【００２６】
続いて、図３に、図２におけるカラオケ演奏端末の遠隔入出力端末のブロック構成図を示す。図３において、遠隔入出力端末３６は、バス６１、端末制御部６２、ＲＯＭ６３、ＲＡＭ６４、入出力制御部６５、端末表示部６６、楽曲検索選曲手段６７、利用者ＩＤ取得部６８、歌唱履歴取得手段７０を備える利用者情報取得手段６９、同席者対応曲目抽出手段７１及び端末送受信部７２を適宜備える。また、ＲＡＭ６４には、所定の利用者ＩＤに関連付けられた歌唱者履歴曲目７４の記憶エリアを備える利用者別情報記憶部７３の記憶領域が形成される。
【００２７】
上記端末制御部６２は、当該遠隔入出力端末３６を統括的に処理制御する物理的なＣＰＵであり、ＲＯＭ６３に記憶されているプログラムに基づくアルゴリズム処理を行う。上記ＲＡＭ６４は、利用者別情報記憶部７３の記憶領域が形成される他に、上記種々のプログラムを展開、実行させるための作業領域としての役割をなすもので、例えば半導体メモリで構成され、仮想的にハードディスク上に構築される場合をも含む概念である。
【００２８】
上記端末表示部６６は、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するもので、上記入出力制御部６５は、当該端末表示部６６に表示データを出力して楽曲検索画面等を表示させると共に、当該ＧＵＩによるデータ入力を行う電子回路及びプログラムである。また、上記楽曲検索選曲手段６７は、上記ユーザインタフェース機能により利用者に楽曲を検索させるプログラムである。
【００２９】
上記利用者ＩＤ取得部６８は、利用者のログイン要求で所持するＩＣカード等が提示された時に、当該ＩＣカード等から利用者ＩＤを取得する電子回路及びプログラムである。なお、利用者ＩＤ取得部６８を、カラオケ演奏装置３１に備えさせてもよい。
【００３０】
上記利用者情報取得手段６９は、上記利用者ＩＤ取得部６８で取得した利用者ＩＤに基づき後述の端末送受信部７２よりカラオケ演奏装置３１の送受信部５０Ａ，５０Ｂ、通信ネットワーク１２を介してホスト装置１１の利用者ＤＢ２３より利用者情報を取得し、当該利用者ＩＤに関連付けてＲＡＭ６４の利用者別情報記憶部７３に記憶させるプログラムである。
【００３１】
上記利用者情報とは、例えば図１（Ｃ）で示すニックネーム、イメージ（顔写真等）などの利用者情報の他に、歌唱履歴取得手段７０が取得する歌唱履歴の楽曲であって、対応の利用者ＩＤに関連付けられると共に、歌唱時の同席者の利用者ＩＤが関連付けられた歌唱履歴曲目の情報である。ホスト装置１１の利用者ＤＢ２３より取得した当該歌唱履歴曲目の情報は、ＲＡＭ６４の利用者別情報記憶部７３に設けられた歌唱履歴曲目７４の記憶エリアに記憶される。
【００３２】
上記同席者対応曲目抽出手段７１は、所定の利用者の選曲の際に、歌唱履歴取得手段７０が取得した歌唱履歴の楽曲中より、上記利用者ＩＤ取得部６８で取得された同席者の利用者ＩＤが関連付けられた楽曲を抽出して端末表示部６６に表示させるプログラムである。そして、上記端末送受信部７２は、カラオケ演奏装置３１（送受信部５０Ａ）に対して有線方式ないし無線方式（ＩＲ方式やブルートゥース機構のピコネット接続方式など）を利用してデータ授受を行うためのもので、そのための電子回路及びプログラムを備えるものである。
【００３３】
そこで、図４に図２及び図３のカラオケ演奏端末における利用者情報取得の処理フローチャートを示すと共に、図５に図２及び図３のカラオケ演奏端末における第１実施形態の選曲楽曲表示処理のフローチャートを示し、図６に図５における選曲方法選択表示の説明図、図７に図３における同席者対応曲目抽出手段の曲目抽出及び抽出楽曲選択可能表示の説明図、図８に図５における選曲可能表示の説明図を示す。
【００３４】
図４において、まず、所定の利用者が、遠隔入出力端末３６の利用者ＩＤ取得部６８に利用者のカラオケ演奏装置３１に対するログイン要求で所持するＩＣカード等が提示された時に、当該利用者ＩＤ取得部６８が当該ＩＣカード等から利用者ＩＤが取得されると、当該取得した利用者ＩＤに基づいて利用者情報取得手段６９（歌唱履歴取得手段７０）が端末送受信部７２から、カラオケ演奏装置３１の送受信部５０Ａ，５０Ｂを介して通信ネットワーク１２と接続し、ホスト装置１１に当該利用者ＩＤに対応する歌唱履歴を含む利用者情報を要求する（ステップ（Ｓ）１）。
【００３５】
ホスト装置１１における図１（Ｃ）に示す利用者ＤＢ２３より抽出された対応利用者ＩＤのニックネーム、イメージ（顔写真など）や歌唱履歴を含む利用者情報を取得すると、ＲＡＭ６４の利用者別情報記憶部７３に記憶し、一方で取得した歌唱履歴曲目の情報を歌唱履歴曲目７４に記憶する（Ｓ２）。これらが、グループで利用する総ての利用者のログイン要求により繰り返される。ここでは、利用者Ａ（例えば、利用者ＩＤ：＊＊＊＊＊＊＊Ａ）と、利用者Ｂ（例えば、利用者ＩＤ：＊＊＊＊＊＊＊Ｂ）とがログインした場合として説明する。
【００３６】
そこで、図５において、遠隔入出力端末３６の初期画面より所定の利用者（例えば、利用者Ａ）による利用者ＩＤに基づく歌唱楽曲の予約要求があると（Ｓ１１）、端末制御部６２の指示により、図６に示すような、通常の楽曲検索と、同席者（ここでは、利用者Ｂ）に対して過去に歌唱した楽曲の表示とを選択させる画面を端末表示部６６に表示させる（Ｓ１２）。
【００３７】
当該利用者Ａが、同席者Ｂに対応する楽曲の表示を選択すると（Ｓ１３）、同席者対応曲目抽出手段７１が当該同席者Ｂの利用者ＩＤ（Ｂ）を特定し（Ｓ１４）、記憶した歌唱履歴曲目７４に当該利用者ＩＤ（Ｂ）が存在する場合には（Ｓ１５）、予約要求した利用者ＩＤ（Ａ）の歌唱履歴曲目７４を参照して、図７（Ａ）に示すように、上記特定した利用者ＩＤ（Ｂ）が同席したときの歌唱楽曲（楽曲ＩＤ）を抽出する（Ｓ１６）。当該抽出された楽曲のリストを、例えば図７（Ｂ）に示すように、端末表示部６６で選択可能に表示する（Ｓ１７）。
【００３８】
一方、Ｓ１３において同席者の表示が選択されずに通常の楽曲検索が選択された場合、あるいはＳ１５において利用者ＩＤ（Ａ）に歌唱履歴に利用者ＩＤ（Ｂ）が関連付けられた楽曲が存在しない場合には、通常の楽曲検索画面を表示させるものである（Ｓ１８）。そして、Ｓ１７で抽出された楽曲リストの表示画面若しくは楽曲検索画面から所定の楽曲が選択されると（Ｓ１９）、図８に示すような端末表示部６６の予約画面に選択された楽曲が選曲可能に表示されるものである（Ｓ２０）。
【００３９】
このように、楽曲予約要求の利用者の歌唱履歴に歌唱時に同席した利用者の利用者ＩＤを関連付けておき、当該同席者に対応した歌唱履歴の楽曲を表示させることから、総ての歌唱履歴の楽曲よりその都度同席者に応じた楽曲を選択することなく、同席者に対して相応しい楽曲を選曲可能に表示させることができるものである。
【００４０】
次に、図９に、図２及び図３のカラオケ演奏端末における第２実施形態についての同席者対応曲目抽出手段７１の曲目抽出の説明図を示す。本実施形態は、ホスト装置１１の利用者ＤＢ２３に、図９（Ａ）に示すように、当該利用者の歌唱した楽曲に、歌唱時における同席者の利用者ＩＤと共に、歌唱した度数を関連付けて利用者毎の歌唱履歴に登録しておくもので、遠隔入出力端末３６の利用者情報取得手段６９が当該歌唱履歴の情報を取得したときに、ＲＡＭ６４における利用者別情報記憶部７３の歌唱履歴曲目７４に記憶されるものである。
【００４１】
そして、所定の利用者（利用者Ａ）の要求により同席者（利用者Ｂ）に対応した楽曲を同席者対応曲目抽出手段７１が抽出する際、利用者ＩＤ取得部６８で取得された同席者Ｂの利用者ＩＤ（Ｂ）が関連付けられた楽曲のうち、所定度数（ここでは、例えば３以上とする）以上の楽曲を、図９（Ｂ）に示すように抽出して端末表示部６６に表示させるものである。
【００４２】
このように、歌唱履歴の同席者（利用者Ｂ）に関連付けられた楽曲のうち、所定度数以上の楽曲を抽出させることで、同席者に対して間違いや勘違いで歌唱した楽曲の表示を排除することが可能となり、同席者に対して更なる相応しい楽曲を選択可能に表示させることができるものである。このことは、以下の第３実施形態においても適用することができるものである。
【００４３】
続いて、図１０に図２及び図３のカラオケ演奏端末における第３実施形態についての同席者対応曲目抽出手段７１の曲目抽出の説明図を示すと共に、図１１に図１０の抽出楽曲選択可能表示の説明図を示す。本実施形態は、例えば、利用者Ａ、利用者Ｂ、利用者Ｄがグループとしてログインした場合のもので、ここでは利用者Ａに対する同席者Ｂ、Ｄに対応する楽曲を表示させる場合を示したものである。
【００４４】
すなわち、上記同席者対応曲目抽出手段７１が、歌唱履歴（図１（Ｃ））から利用者Ａに対する同席者（利用者Ｂ、Ｄ）に対応した楽曲を表示させる際、最小公倍数で抽出する場合と、最大公約数で抽出する場合とがある。図１０（Ａ）は、最小公倍数で抽出する場合を示したもので、利用者Ａに対する対応した楽曲を利用者Ｂと利用者Ｄとが関連付けられた総ての楽曲を抽出して選曲可能に表示させるものである。
【００４５】
一方、図１０（Ｂ）は、最大公約数で抽出する場合を示したもので、利用者Ａに対する対応した楽曲を利用者Ｂと利用者Ｄとが関連付けられた楽曲であって、共通する楽曲を抽出して選曲可能に表示させるものである。この場合の一例として、図１１に表示例が示される。なお、他のタブに利用者Ｂ、Ｄのそれぞれに対応した楽曲を表示させることとしてもよい。
【００４６】
このように、複数の同席者があっても、歌唱履歴の楽曲よりその都度同席者に応じた楽曲を選択することなく、同席者に対して相応しい楽曲を選曲可能に表示させることができるものであるが、図１０（Ｂ）及び図１１で示すように、同席者の共通（最大公約数）する楽曲を抽出して表示させることの方が互いの同席者への配慮がなされて好ましいものである。
【００４７】
ところで、上記各実施形態において、同席者対応曲目抽出手段７１をホスト装置に備えさせ、当該ホスト装置１１で同席者対応楽曲を抽出させて遠隔入出力端末３６やカラオケ演奏装置３１に送出させることとしてもよいものである。
【産業上の利用可能性】
【００４８】
本発明の同席者別個別楽曲表示機能を備えるカラオケシステムは、利用者の選曲に際して歌唱履歴から選曲対象の楽曲の表示を行うカラオケシステム全般に利用可能である。
【図面の簡単な説明】
【００４９】
【図１】本発明に係るカラオケシステムの系統構成図である。
【図２】本発明のカラオケシステムにおけるカラオケ演奏端末のブロック構成図である。
【図３】図２におけるカラオケ演奏端末の遠隔入出力端末のブロック構成図である。
【図４】図２及び図３のカラオケ演奏端末における利用者情報取得の処理フローチャートである。
【図５】図２及び図３のカラオケ演奏端末における第１実施形態の選曲楽曲表示処理のフローチャートである。
【図６】図５における選曲方法選択表示の説明図である。
【図７】図３における同席者対応曲目抽出手段の曲目抽出及び抽出楽曲選択可能表示の説明図である。
【図８】図５における選曲可能表示の説明図である。
【図９】図２及び図３のカラオケ演奏端末における第２実施形態についての同席者対応曲目抽出手段７１の曲目抽出の説明図である。
【図１０】図２及び図３のカラオケ演奏端末における第３実施形態についての同席者対応曲目抽出手段７１の曲目抽出の説明図である。
【図１１】図１０の抽出楽曲選択可能表示の説明図である。
【符号の説明】
【００５０】
１１            ホスト装置
１３            カラオケ演奏端末
２３            利用者ＤＢ
３１            カラオケ演奏装置
３６            遠隔入出力端末
６６            端末表示部
６８            利用者ＩＤ取得部
６９            利用者情報取得手段
７０            歌唱履歴取得手段
７１            同席者対応曲目抽出手段
７３            利用者別情報記憶部
７４            歌唱履歴曲目
【図１】
0005137518.tif 000002
【図２】
0005137518.tif 000003
【図３】
0005137518.tif 000004
【図４】
0005137518.tif 000005
【図５】
0005137518.tif 000006
【図６】
0005137518.tif 000007
【図７】
0005137518.tif 000008
【図８】
0005137518.tif 000009
【図９】
0005137518.tif 000010
【図１０】
0005137518.tif 000011
【図１１】
0005137518.tif 000012